(57)【特許請求の範囲】
【請求項１】
排水金具及び排水ブロックにおいて、
前記排水金具は、板部材からなる正面板、上面板、側面板及び底面板を有しており、前記正面板及び前記上面板には雨水を通過させる雨水通過部を有しており、かつ両側の前記側面板から側方方向に延設された位置決め部材を備え、
前記排水ブロックは、前記排水金具が取り付けられ、底面を有する切欠部からなる取付部と、
前記取付部から両側側方に形成され、前記位置決め部材が挿入される正面側に開口を有する挿入溝と、を備え、
前記排水金具の前記底面板及び前記取付部の底面は、平行かつ当接可能に形成されているとともに、正面側から排水路側に向かって低くなるように傾斜して形成されていることを特徴とする排水金具及び排水ブロック。
【請求項２】
排水金具及び排水ブロックにおいて、
前記排水金具は、間隔を設けてそれぞれ平行に配置された複数枚の板部材と、
複数枚の前記板部材の両側端部に配置された前記板部材から両側の側方に延設された位置決め部材と、を備え、
前記排水ブロックは、前記排水金具が取り付けられる切欠部からなる取付部と、
前記取付部から両側側方方向に形成され、前記位置決め部材が挿入される正面側に開口を有する挿入溝と、を備え
前記排水金具の前記板部材の底面及び前記取付部の底面は、平行かつ当接可能に形成されているとともに、正面側から排水路側に向かって低くなるように傾斜して形成されていることを特徴とする排水金具及び排水ブロック。
【請求項３】
前記排水金具は、底面板を備え、前記底面板は、前記排水金具を前記取付部に取り付けた際に、正面側から排水路側に向かって低くなるように傾斜して形成されていることを特徴とする請求項２に記載の排水金具及び排水ブロック。
【請求項４】
前記排水金具の前記位置決め部材は、前記排水金具を前記取付部に取り付けた際に、正面側から排水路側に向かって低くなるように傾斜して形成されていることを特徴とする請求項１から３のいずれか１項に記載の排水金具及び排水ブロック。
【請求項５】
前記排水金具の前記位置決め部材は、両側端部に配置された前記板部材を切り欠いて形成されていることを特徴とする請求項１から４のいずれか１項に記載の排水金具及び排水ブロック。
【請求項６】
前記排水金具の前記板部材のうち、両側端部に配置された前記板部材は、上方から下方に向かって幅が狭くなるように形成されていることを特徴とする請求項１から５のいずれか１項に記載の排水金具及び排水ブロック。
【請求項７】
排水金具が取り付けられる切欠部からなる取付部と、前記取付部から両側側方方向に形成され、位置決め部材が挿入される挿入溝と、を備え、前記取付部の底面及び前記挿入溝は、正面側から排水路側に向かって低くなるように傾斜して形成されている排水ブロックを敷設し、
板部材からなる正面板、上面板、側面板及び底面板を有しており、前記正面板及び前記上面板には雨水を通過させる雨水通過部を有しており、かつ両側の前記側面板から側方方向に延設された位置決め部材を備える排水金具を前記排水ブロックの前記取付部に正面側から嵌め込み、
前記排水ブロックの正面側に舗装路面を敷設してなることを特徴とする排水金具付き排水ブロックの付設方法。
【請求項８】
排水金具が取り付けられる切欠部からなる取付部と、前記取付部から両側側方方向に形成され、位置決め部材が挿入される挿入溝と、を備え、前記取付部の底面及び前記挿入溝は、正面側から排水路側に向かって低くなるように傾斜して形成されている排水ブロックを敷設し、
間隔を設けてそれぞれ平行に配置された複数枚の板部材と、前記板部材の底面側に配置される底面板と、複数枚の前記板部材の両側端部に配置された前記板部材から両側の側方方向に延設された位置決め部材と、を備え、前記底面板と前記位置決め部材は、正面側から排水路側に向かって低くなるように傾斜して形成されている排水金具を前記排水ブロックの前記取付部に正面側から嵌め込み、
前記排水ブロックの正面側に舗装路面を敷設してなることを特徴とする排水金具付き排水ブロックの付設方法。
【発明の詳細な説明】
【技術分野】
【０００１】
本発明は、排水金具及び排水ブロック、並びに排水金具付き排水ブロックの付設方法に関する。
【背景技術】
【０００２】
本権利者は、Ｕ字型側溝コンクリートブロックの側壁に固定することにより、コンクリートブロックの側壁に排水口を形成する排水用金具を提案している（特許文献１）。
【０００３】
かかる排水用金具によれば、コンクリートブロックの側壁の上面及び側面に排水口を形成することができるので、道路上面を流れてきた雨水のみではなく、例えば、透水性舗装の舗装路内を浸透してきた雨水をもＵ字溝内に導入することができる。
【０００４】
しかしながら、かかる排水金具は、コンクリートブロックの成形時にインサート成形しなければ、コンクリートブロックに固定することができないという問題点があった。また、インサート成形した排水金具は、交換することができないため、排水金具のみが破損した場合等に交換することができないという問題点があった。
【先行技術文献】
【特許文献】
【０００５】
【特許文献１】意匠登録第１５５９０６６号公報
【発明の概要】
【発明が解決しようとする課題】
【０００６】
そこで、本発明はかかる問題点を解決するためになされたものであり、排水金具を容易にコンクリートブロックに現場において取り付け、かつコンクリートブロックにあらかじめボルト等の固定器具で固定することなく、舗装工事等を行うことができ、かつ一旦取り付けた後も容易に排水用金具のみを交換することができる排水金具及び排水ブロック、並びに排水金具付き排水ブロックの付設方法を提供するものである。
【課題を解決するための手段】
【０００７】
本発明は、上述の目的を達成するために、以下の手段を採った。
【０００８】
本発明にかかる排水金具及び排水ブロックは、
排水金具及び排水ブロックにおいて、
前記排水金具は、板部材からなる正面板、上面板、側面板及び底面板を有しており、前記正面板及び前記上面板には雨水を通過させる雨水通過部を有しており、かつ両側の前記側面板から側方方向に延設された位置決め部材を備え、
前記排水ブロックは、前記排水金具が取り付けられ、底面を有する切欠部からなる取付部と、
前記取付部から両側側方に形成され、前記位置決め部材が挿入される正面側に開口を有する挿入溝と、を備え、
前記排水金具の前記底面板及び前記取付部の底面は、平行かつ当接可能に形成されているとともに、正面側から排水路側に向かって低くなるように傾斜して形成されていることを特徴とする。
【０００９】
本発明にかかる排水金具及び排水ブロックは、排水金具が排水ブロックにあらかじめ固定されているものではなく、施工時において排水ブロックに取り付けられるようにしたものである。しかも、排水金具には位置決め部材が設けられており、排水ブロックの正面側から嵌め込むことによって排水ブロックに位置決めされた状態で取り付けることができるので、排水金具を別途ボルト等の固定具によって排水ブロックに固定する必要がなく、正面側をアスファルトやセメント等で路面を敷設するだけで排水金具を排水ブロックに固定することができる。また、排水金具の底面板と、取付部の底面とが、平行かつ当接可能に形成されているとともに、正面側から排水路側に向かって低くなるように傾斜して形成されていることから、正面側から嵌め込むことによって重力によって、水路側に排水金具が付勢されることになるので、排水金具を排水ブロックに固定しなくても、排水金具が正面側に浮いて取り付けられることを防止することができる。
【００１０】
また、本発明にかかる排水金具及び排水ブロックは、
排水金具及び排水ブロックにおいて、
前記排水金具は、間隔を設けてそれぞれ平行に配置された複数枚の板部材と、
複数枚の前記板部材の両側端部に配置された前記板部材から両側の側方方向に延設された位置決め部材と、を備え、
前記排水ブロックは、前記排水金具が取り付けられる切欠部からなる取付部と、
前記取付部から両側側方方向に形成され、前記位置決め部材が挿入される正面側に開口を有する挿入溝と、を備え
前記排水金具の前記板部材の底面及び前記取付部の底面は、平行かつ当接可能に形成されているとともに、正面側から排水路側に向かって低くなるように傾斜して形成されていることを特徴とする。
【００１１】
本発明にかかる排水金具及び排水ブロックは、排水金具が排水ブロックに予め固定されているものではなく、施工時において排水ブロックに取り付けられるようにしたものである。しかも、排水金具には位置決め部材が設けられており、排水ブロックの正面側から嵌め込むことによって排水ブロックに位置決めされた状態で取り付けることができるので、排水金具を別途ボルト等の固定具によって排水ブロックに固定する必要がなく、正面側をアスファルトやセメント等で路面を敷設するだけで排水金具を排水ブロックに固定することができる。また、排水金具の板部材の底面と、取付部の底面とが、平行かつ当接可能に形成されているとともに、正面側から排水路側に向かって低くなるように傾斜して形成されていることから、正面側から嵌め込むことによって重力によって、水路側に排水金具が付勢されることになるので、排水金具を排水ブロックに固定しなくても、排水金具が正面側に浮いて取り付けられることを防止することができる。
【００１２】
また、本発明にかかる排水金具及び排水ブロックにおいて、前記排水金具は、底面板を備え、前記底面板は、前記排水金具を前記取付部に取り付けた際に、正面側から排水路側に向かって低くなるように傾斜して形成されていることを特徴とするものであってもよい。
【００１３】
かかる構成を採用することによって、排水金具の底面板と、取付部の底面とが、平行かつ当接可能に形成されているとともに、正面側から排水路側に向かって低くなるように傾斜して形成されていることから、正面側から嵌め込むことによって重力によって、水路側に排水金具が付勢されることになるので、排水金具を排水ブロックに固定しなくても、排水金具が正面側に浮いて取り付けられることを防止することができる。
【００１４】
さらに、本発明にかかる排水金具及び排水ブロックにおいて、前記排水金具の前記位置決め部材は、前記排水金具を前記取付部に取り付けた際に、正面側から排水路側に向かって低くなるように傾斜して形成されていることを特徴とするものであってもよい。
【００１５】
かかる構成を採用することによって、排水ブロックの挿入溝に雨水が溜まることを防止することができ、排水金具が錆びたり、劣化されたりする可能性を低減することができる。
【００１６】
さらに、本発明にかかる排水金具及び排水ブロックにおいて、前記排水金具の前記位置決め部材は、両側端部に配置された前記板部材を切り欠いて形成されていることを特徴とするものであってもよい。
【００１７】
かかる構成を採用することによって、別途位置決め部材を排水金具に取り付けるといった工程を省略することができ、より容易かつ迅速に排水金具を作製することができる。
【００１８】
さらに、本発明にかかる排水金具及び排水ブロックにおいて、
前記排水金具の前記板部材のうち、両側端部に配置された前記板部材は、上方から下方に向かって幅が狭くなるように形成されていることを特徴とするものであってもよい。
【００１９】
かかる構成を採用することによって、排水金具が取付部に対して中央に配置されやすくなる。
【００２０】
さらに、本発明は、排水金具付き排水ブロックの付設方法を提供する。本発明にかかる排水金具付き排水ブロックの付設方法は、排水金具が取り付けられる切欠部からなる取付部と、前記取付部から両側側方方向に形成され、位置決め部材が挿入される挿入溝と、を備え、前記取付部の底面及び前記挿入溝は、正面側から排水路側に向かって低くなるように傾斜して形成されている排水ブロックを敷設し、
正面板、側面板及び底面板を有しており、前記上面及び前記正面には雨水を通過させる雨水通過部を有しており、かつ前記側面から両側の側方方向に延設された位置決め部材を備える排水金具を前記排水ブロックの前記取付部に正面側から嵌め込み、
前記排水ブロックの正面側に舗装路面を敷設してなることを特徴とする。
【００２１】
また、本発明にかかる排水金具付き排水ブロックの付設方法において、排水金具が取り付けられる切欠部からなる取付部と、前記取付部から両側側方方向に形成され、位置決め部材が挿入される挿入溝と、を備え、前記取付部の底面及び前記挿入溝は、正面側から排水路側に向かって低くなるように傾斜して形成されている排水ブロックを敷設し、
間隔を設けてそれぞれ平行に配置された複数枚の板部材と、前記板部材の底面側に配置される底面板と、複数枚の前記板部材の両側端部に配置された前記板部材から両側の側方方向に延設された位置決め部材と、を備え、前記底面板と前記位置決め部材は、正面側から排水路側に向かって低くなるように傾斜して形成されている排水金具を前記排水ブロックの前記取付部に正面側から嵌め込み、
前記排水ブロックの正面側に舗装路面を敷設してなることを特徴とするものであってもよい。
【００２２】
かかる構成を採用することによって、排水ブロックを敷設した後に排水金具を取付部に嵌め込むという工程を追加するのみで、排水金具付き排水ブロックを付設することができる。
【発明の効果】
【００２３】
本発明は、排水金具をあらかじめ排水ブロックに固定することなく、かつ施工時においても排水ブロックに固定することなく、排水金具を排水ブロックに固定することができる排水金具及び排水ブロック、並びに排水金具付き排水ブロックの付設方法を提供することができる。
【図面の簡単な説明】
【００２４】
【図１】図１は、第１実施形態にかかる排水金具１０及び排水ブロック５０を示す斜視図である。
【図２】図２は、第１実施形態にかかる排水金具１０を示す斜視図である。
【図３】図３は、第１実施形態にかかる排水金具１０を示す六面図である。
【図４】図４は、第１実施形態にかかる排水金具１０及び排水ブロック５０の変形例を示す斜視図である。
【図５】図５は、第１実施形態にかかる排水金具１０の変形例を示す斜視図である。
【図６】図６は、第２実施形態にかかる排水金具１０を示す斜視図である。
【図７】図７は、第２実施形態にかかる排水金具１０を示す六面図である。
【図８】図８は、排水ブロックに集水桝５９を使用した排水金具１０及び排水ブロック５０を示す斜視図である。
【発明を実施するための形態】
【００２５】
（第１実施形態）
以下、本発明の実施形態について図面に沿って詳細に説明する。図１は、本実施形態にかかる排水金具１０が取り付けられた排水ブロック５０の斜視図である。なお、以下に説明する実施形態及び図面は、本発明の実施形態の一部を例示するものであり、これらの構成に限定する目的に使用されるものではない。また、各図において対応する構成要素には同一又は類似の符号が付されている。なお、説明の便宜上、図１において、本明細書及び特許請求の範囲において、図１内の矢印に示したように、排水ブロック５０の長手方向を側方方向、排水ブロック５０の排水金具１０が取り付けられた側を正面、取り付けられていない側を背面として説明する。
【００２６】
本実施形態にかかる排水ブロック５０は、道路表面を流れてきた雨水、又は透水性舗装内を浸透してきた雨水を排水ブロック５０内の排水路５１に導く排水金具１０を取り付ける取付部５２を有する。排水ブロック５０としては、Ｕ字型側溝ブロック、可変型側溝ブロック、暗渠ブロック等のように排水水路を有し、排水金具１０を取り付けることによって排水ブロック５０の上面及び正面から雨水を導入可能に構築できるブロックであれば、特に限定するものではない。
【００２７】
以下、排水ブロック５０の取付部５２について、Ｕ字型側溝ブロックを例として説明する。排水ブロック５０の取付部５２は、後述する排水金具１０が嵌め込まれる部分であり、略直方体に切り欠かれた切欠部からなる。取付部５２の底面５２ａは、図１の拡大図に示すように、排水ブロック５０の正面側から排水路５１に向けて低くなるような傾斜面に形成されている。取付部５２の底面５２ａの側方には、正面側が開口され、両側の側方方向に伸びる挿入溝５４が設けられており、後述する排水ブロック５０の位置決め部材１３が挿入される。取付部５２の底面５２ａの下方には、正面側が開口された凹部５５が設けられており、凹部５５の中央には、排水金具１０の底面を支持するように正面の壁面５０ａまで延びている支持面５６が設けられている。この支持面５６の下方は、右の凹部５５ａ及び左の凹部５５ｂが連通した凹部５５に形成されている。このように作製することによって、左右の挿入溝５４をそれぞれ別の型枠で作製する必要がなく、一つの型枠で作製することができるため、左右の挿入溝５４の位置がずれる可能性を防止することができる。取付部５２の底面５２ａは、排水ブロック５０の正面の壁面５０ａから水路に向かって低くなるように傾斜して設けられている。傾斜角度は、少なくとも１０°以上、好ましくは２０°以上に設けると良い。
【００２８】
次に排水金具１０について説明する。排水金具１０の斜視図が図２に示されており、排水金具１０の六面図が図３に示されている。本実施形態にかかる排水金具１０は、主として、排水部２０と、排水ブロック５０に対して位置決めをする位置決め部材１３と、を備えている。
【００２９】
排水部２０は、複数の板部材１２によって溶接され、正面板、上面板、側面板及び底面板１７を有し、背面側が開口された箱状に形成される。上面板及び正面板には、路面上面及び透水舗装を浸透してきた雨水を通過させるための雨水通過部２１を有している。雨水通過部２１は、第１実施形態においては、上面が溝に形成され、正面が貫通孔に形成されているが、これに限定するものではなく、雨水が通過可能に形成されていれば、溝であっても貫通孔であっても構わないし、それぞれの形態も特に限定するものではない。しかしながら、側面に形成する溝又は貫通孔は、溝幅又は貫通孔の直径を１．５ｃｍ以下にすることが好ましい。溝幅又は貫通孔の直径を広く設定しすぎると隣接して敷設されるアスファルト舗装の骨材が排水金具１０に入り込んでしまう可能性があるからである。排水金具１０は、排水ブロック５０に取り付けられた際に、取付部５２の切欠部の形態とほぼ同様の形態に作製されており、取付部５２内に嵌め込むことができる。排水金具１０の底面板１７は、取付部５２の底面５２ａの傾斜面と平行でかつ当接するように形成される。すなわち、側面は、図３の右側面図に示したように、底面側が傾斜した略台形に形成されている。このように傾斜して設けることによって、雨水を効率的に排水路５１に導くことができるとともに、正面側から排水金具１０を取り付けた際に、排水金具１０は重力によって排水路５１側に付勢されるので、排水金具１０を排水ブロック５０に固定することなく、安定した状態で取り付けることができる。好ましくは、取付部５２の底面５２ａと同じ角度となるように設けることが好ましい。また、排水金具１０の幅は、取付部５２の幅とほぼ同様の幅となるように形成される。また、側面は、上方から下方に向かって幅が狭くなるように設けても良い。かかる構成を採用することによって、排水金具１０は取付部５２の中心に配置されやすくなる。
【００３０】
さらに、排水金具１０には、排水ブロック５０の挿入溝５４に嵌め込んで、排水ブロック５０に対して排水金具１０を位置決めする位置決め部材１３が設けられている。位置決め部材１３は、板部材１２を形成する板の両側側方の端部に配置される端部板１２ａからそれぞれの側方に延設されていて、排水金具１０を排水ブロック５０の正面側から嵌め込んだときに位置決め部材１３が挿入溝５４に当接して、排水ブロック５０の正面の壁面５０ａと、排水金具１０の正面とがほぼ面一となるように形成されている。位置決め部材１３は、図４に示すように、板状に形成することが好ましく、より好ましくは、排水ブロック５０に排水金具１０を嵌めた場合に、排水ブロック５０の正面の壁面５０ａから排水路側に向かって低くなるように、すなわち、板部材１２の上辺に対して角度を有するように傾斜して設けるとよい。このように傾斜して設けることにより、雨水が位置決め部材１３の上に溜まって錆を発生させたり、劣化させたりする可能性を低減することができる。この位置決め部材１３が配置される位置は、図１に示すように底面板１７と同一平面上に設けることが好ましいが、これに限定するものではなく、図４に示すように、側面の上下の中位に設けても構わない。また、位置決め部材１３は、側面の一部を切り欠いて、折り曲げて位置決め部材１３にしてもよい。
【００３１】
以上のようにして作製された排水ブロック５０及び排水金具１０は、以下のようにして道路に敷設される。まず、排水路を構築したい場所に対して、舗装道路側に取付部５２が配置されるように排水ブロック５０を敷設する。
【００３２】
排水ブロック５０の設置が終了したら、排水金具１０を排水ブロック５０の正面から取付部５２に位置決め部材１３が挿入溝５４に嵌まるように取り付ける。この際に取付部５２の底面５２ａは正面側から排水路５１側に向かって低くなるような傾斜面で形成されており、一方、排水金具１０の底面板１７も同様に正面側から排水路５１側に向かって低くなるような傾斜面で形成されていることから、正面側から嵌め込むことで重力によって排水金具１０は、自然と取付部５２に嵌め込まれることになり、しかもその位置で安定する。そのため、排水金具１０は、排水ブロック５０に対してボルト等の固定金具で固定する必要はない。そして、排水ブロック５０の正面側をアスファルトで舗装することによって、舗装面によって排水金具１０の移動は防止され、排水ブロック５０に完全に固定されることになる。
【００３３】
このように、本発明にかかる排水金具１０は、あらかじめ排水ブロック５０に固定することなく、それぞれ別体で作製することができる。したがって、特に排水ブロック５０を作製する際に、インサート成形といった成形法を使用することなく、排水ブロックを容易に作製することができる。また、施工時においてもあらかじめボルト等によって排水ブロック５０に固定しておく必要がなく、固定工程を省くことができる。さらに、施工時においては排水ブロック５０を敷設した後に、正面側から嵌め込むだけで排水金具１０は自然と排水路５１側へ付勢され、アスファルト舗装をそのまま行うことができ、アスファルト舗装によって排水金具１０は、排水ブロック５０に固定することができる。
【００３４】
（第２実施形態）
第２実施形態にかかる排水ブロック５０及び排水金具１０について説明する。第２実施形態にかかる排水ブロック５０は、第１実施形態と同様であるので、説明を省略する。
【００３５】
第２実施形態は、排水金具１０の構成が異なる。第２実施形態にかかる排水金具１０の斜視図が図６に示されており、排水金具１０の六面図が図７に示されている。本実施形態にかかる排水金具１０は、主として、複数の板部材１２と、排水ブロック５０に対して位置決めをする位置決め部材１３と、を備えている。
【００３６】
板部材１２は、取付部５２に取り付けた状態で垂直面となるように複数の板が間隔を開けて平行に配置されている。この間隔が道路表面を流れてきた雨水又は透水性舗装を流れてきた雨水を通過させる雨水通過部２１として機能する。板部材１２を形成する板の形状は、排水ブロック５０に取り付けられた際に、取付部５２の切欠部の形態とほぼ同様の形態に作製され、取付部５２内に嵌め込むことができる。本実施形態においては、取付部５２の底面５２ａが傾斜を有しているので、図７の右側面図又は左側面図に示したように、右側面又は左側面の底面側が同様の傾斜を有するように略台形に形成されている。このように傾斜して設けることによって、雨水を効率的に排水路５１に導くことができるとともに、正面側から排水金具１０を取り付けた際に、排水金具１０は重力によって排水路５１側に付勢されるので、排水金具１０を排水ブロック５０に固定することなく、安定した状態で取り付けることができる。また、排水金具１０の幅は、取付部５２の幅とほぼ同様の幅となるように形成される。なお、この際に板部材１２は、すべての同じ形状又は同じ大きさである必要はない。例えば、側方方向端部に配置される端部板１２ａのみを取付部５２の形状に合わせ、中に配置される中間板１２ｂは小さく形成しても構わない。板部材１２の数も少なくとも２枚以上であれば特に限定するものではないが、排水性を確保する観点から４枚以上であることが好ましい。また、板部材１２の間の間隔も限定するものではないが、１．５ｃｍ以下にすることが好ましい。板部材１２の間の間隔を広く設定しすぎると隣接して敷設されるアスファルト舗装の骨材が板部材１２の間の間隔に入り込んでしまう可能性があるからである。また、側方方向端部に配置される端部板１２ａは上方から下方に向かって幅が狭くなるように設けても良い。かかる構成を採用することによって、排水金具１０は取付部５２の中心に配置されやすくなる。
【００３７】
これら板部材１２は、それぞれの間隔を保持した状態で固定される。例えば、図７の平面図に示すように、それぞれの板部材１２に貫通孔１２ｃを設け、それぞれの板部材１２の間に筒状部材１５を板部材１２と交互となるように配置した状態で棒状体１６を挿通することによって、所定の間隔を維持した状態にすることができる。なお、この際に、底面板１７を設けることによって、それぞれの板部材１２が棒状体１６を中心に回転することを防止し、所定の形態を保持することができるので、より扱いやすい排水金具１０とすることができる。勿論、棒状体１６と板部材１２を直接溶接して固定してもよい。また、棒状体１６を省き、底面板１７にそれぞれの板部材１２を直接溶接してもよい。なお、底面板１７は、排水ブロック５０に取り付けた際に、正面側から排水路５１に向かって低くなるように傾斜して設けるとよい。このように傾斜して設けることによって、雨水を効率的に排水路５１に導くことができるとともに、正面側から排水金具１０を取り付けた際に、排水金具１０は重力によって排水路５１側に付勢されるので、排水金具１０を排水ブロック５０に固定することなく、安定した状態で取り付けることができる。好ましくは、取付部５２の底面５２ａと同じ角度となるように設けることが好ましい。また、底面板１７は、必ずしも別の板で作製する必要はなく、板部材１２を形成する板の両側側方の端部に配置される端部板１２ａを折り曲げて底面板１７を一体にした断面略コの字型に板加工された部材としてもよい。
【００３８】
さらに、板部材１２には、排水ブロック５０の挿入溝５４に嵌め込んで、排水ブロック５０に対して排水金具１０を位置決めする位置決め部材１３が設けられている。位置決め部材１３は、板部材１２を形成する板の両側側方の端部に配置される端部板１２ａからそれぞれの側方に延設されていて、排水金具１０を排水ブロック５０の正面側から嵌め込んだときに位置決め部材１３が挿入溝５４に当接して、排水ブロック５０の正面側の壁面５０ａと、排水金具１０の正面とが面一となるように形成されている。位置決め部材１３は、図６に示すように、板状に形成することが好ましく、より好ましくは、排水ブロック５０に排水金具１０を嵌めた場合に、排水ブロック５０の正面側から排水路側に向かって低くなるように、すなわち、板部材１２の上辺に対して角度を有するように傾斜して設けるとよい。このように傾斜して設けることにより、雨水が位置決め部材１３の上に溜まって錆を発生させたり、劣化させたりする可能性を低減することができる。この位置決め部材１３が配置される位置は、底面板１７と同一平面上に設けることが好ましい。また、位置決め部材１３は、前述した略コの字状の板加工された板部材１２の一部を切り欠いて、折り曲げて形成してもよい。
【００３９】
以上のようにして作製された排水ブロック５０及び排水金具１０の付設方法は、第１実施形態と同様であるので、説明を省略する。
【００４０】
このように、本発明にかかる排水金具１０は、あらかじめ排水ブロック５０に固定することなく、それぞれ別体で作製することができる。したがって、特に排水ブロック５０を作製する際に、インサート成形といった成形法を使用することなく、排水ブロックを容易に作製することができる。また、施工時においてもあらかじめボルト等によって排水ブロック５０に固定しておく必要がなく、固定工程を省くことができる。さらに、施工時においては排水ブロック５０を敷設した後に、正面側から嵌め込むだけで排水金具１０は自然と排水路５１側へ付勢され、アスファルト舗装をそのまま行うことができ、アスファルト舗装によって排水金具１０は、排水ブロック５０に固定することができる。
【００４１】
さらに、本発明にかかる排水金具１０と排水ブロック５０は、固定されていないので、交換する際もアスファルトを剥がすだけで容易に排水金具１０を交換することができる。
【００４２】
なお、本発明は上述した実施形態に何ら限定されることはなく、本発明の技術的範囲に属する限り種々の態様で実施し得る。
【００４３】
上述した実施形態においては、排水ブロック５０として、Ｕ字型の側溝ブロックを例に説明したが、可変側溝ブロック、暗渠側溝ブロックにも応用することができる。まず、図８に示すように、排水ブロック５０として、集水枡５９に適用しても構わない。
【産業上の利用可能性】
【００４４】
上述した実施形態で示すように、側溝ブロックとして産業上利用可能である。
【符号の説明】
【００４５】
１０…排水金具、１２…板部材、１２ａ…端部板、１２ｂ…中間板、１２ｃ…貫通孔、１３…位置決め部材、１５…筒状部材、１６…棒状体、１７…底面板、２０…排水部、２１…雨水通過部、５０…排水ブロック、５０ａ…壁面、５１…排水路、５２…取付部、５２ａ…底面、５４…挿入溝、５５…凹部、５５ａ…右の凹部、５５ｂ…左の凹部、５６…支持面、５９…集水枡
【要約】      （修正有）【課題】排水金具を容易にコンクリートブロックに現場において取り付け、かつコンクリートブロックに予めボルト等の固定器具で固定することなく、舗装工事等を行うことができ、かつ一旦取り付けた後も容易に排水用金具のみを交換することができる排水金具を提供する。【解決手段】排水金具１０は、間隔を設けてそれぞれ平行に配置された複数枚の板部材と、複数枚の板部材の両側端部に配置された板部材から両側の側方方向に延設された位置決め部材とを備え、排水ブロック５０は、排水金具１０が取り付けられる切欠部からなる取付部５２と、取付部５２から両側側方に形成され、位置決め部材が挿入される正面側に開口を有する挿入溝５４とを備えており、排水ブロックを敷設した後に排水金具を取付部に嵌め込むという工程を追加するのみで、排水金具付き排水ブロックを付設することができる。【選択図】図１【図１】
0006632175.tif 000002
【図２】
0006632175.tif 000003
【図３】
0006632175.tif 000004
【図４】
0006632175.tif 000005
【図５】
0006632175.tif 000006
【図６】
0006632175.tif 000007
【図７】
0006632175.tif 000008
【図８】
0006632175.tif 000009